(57)【要約】      （修正有）【課題】安全性が大幅に向上する上、収納時には平板状のカード型となるため携帯性を高めることができるカード型手動扇風機を提供する。【解決手段】板状に形成された保持部１には該板状面に並行な回転面上で回動する軸部材２を有し、該軸部材に緩く嵌合する軸受部材３を有し、該軸受部材には回転軸方向に対して傾斜して取付けた可撓性で板状の１枚羽根部材４を固着し、該１枚羽根部材の先端部付近に前記回転軸方向との傾斜角度を増す方向に曲げた曲面部５を設け、上記軸部材の回動位置において保持部と１枚羽根部材が接近してしかも同一平面上にあるときに相互の回転を係止する挟時部材６を保持部に設ける。【選択図】図１
0003175397.tif 000002
【実用新案登録請求の範囲】
【請求項１】
板状に形成された保持部には該板状面に並行な回転面上で回動する軸部材を有し、該軸部材に緩く嵌合する軸受部材を有し、該軸受部材には回転軸方向に対して傾斜して取付けた可撓性で板状の１枚羽根部材を固着し、該１枚羽根部材の先端部付近に前記回転軸方向との傾斜角度を増す方向に曲げた曲面部を設け、上記軸部材の回動位置において、保持部と１枚羽根部材が接近してしかも同一平面上にあるときに相互の回転を係止する挟時部材を保持部に設けたことを特徴とするカード型手動扇風機。
【考案の詳細な説明】
【技術分野】
【０００１】
本考案は、外部動力を用いない手動扇風機であり特に収納時に平板状のカード型とすることができるので携帯が容易でしかも操作性が良い手動扇風機に関するものである。
【背景技術】
【０００２】
現在、地球温暖化防止の上からエネルギーの節約が強く叫ばれている。したがって室内のエアコンの温度設定も高めであり、何らかの清涼機材を必要とする場合が多い。しかるにそのためにモーターなどによって回転する小型扇風機などを使用するのは本来のエネルギー節約の方針から反するものである。一方、一般的に使用されている扇子や団扇はワイシャツ姿などでは携帯に不自由な場合が多い。
【０００３】
この改善策として、平板状のカード型で外部エネルギーを使用しない清涼機材が望まれている。手動式回転団扇としては下記のごときものが出願されているが、風が円周方向に動く為に羽根で顔などを叩く恐れがあるのと、羽根を折りたたんだとしても携帯性に課題がある。
【先行技術文献】
【特許文献】
【０００４】
【特許文献１】実登第２６０７２７６号公報
【考案の概要】
【考案が解決しようとする課題】
【０００５】
本考案が解決しようとする課題は、風が羽根の回転軸方向に流れることで回転面を顔などからずらすことができるために安全性が大幅に向上する上、収納時には平板状のカード型となるために極めてコンパクトとなり、ワイシャツの胸ポケットに収納することだ形態性を高めることができるカード型手動扇風機を提供するものである。
【課題を解決するための手段】
【０００６】
本考案が課題を解決する為の手段は、板状に形成された保持部には該板状面に並行な回転面上で回動する軸部材を有し、該軸部材に緩く嵌合する軸受部材を有し、該軸受部材には回転軸方向に対して傾斜して取付けた可撓性で板状の１枚羽根部材を固着し、該１枚羽根部材の先端部付近に前記回転軸方向との傾斜角度を増す方向に曲げた曲面部を設け、上記軸部材の回動位置において保持部と１枚羽根部材が接近してしかも同一平面上にあるときに相互の回転を係止する挟時部材を保持部に設けたカード型手動扇風機を提供することである。
【考案の効果】
【０００７】
本考案のカード型手動扇風機の効果は風が羽根の回転軸方向に流れることで回転面を顔などからずらすことができるために安全性が大幅に向上する上、収納時には平板状のカード型となるために極めてコンパクトとなり、ワイシャツの胸ポケットに収納することだ携帯性を高めることができるカード型手動扇風機を提供することで普段の生活上でエネルギーの節約に貢献することである。
【図面の簡単な説明】
【０００８】
【図１】図１は本考案の実施例の使用状態における構造を示す側面図である。
【図２】図２は本考案の実施例の収納状態における構造を示す側面図である。
【図３】図3は本考案の実施例の収納状態における構造を示す上面図である。
【考案を実施するための形態】
【０００９】
本考案のカード型手動扇風機の効果を損なわない範囲で、構造を簡略化した本考案を実現するものである。
【実施例】
【００１０】
図１は本考案の使用状態における構造を示す側面図であり、図２は本考案の実施例の収納状態における構造を示す側面図であり図３はその上面図である。
【００１１】
図１、図２及び図３において板状に形成された保持部１には該板状面に並行な回転面上で回動する軸部材２を有し、該軸部材２に緩く嵌合する軸受部材３を有し、該軸受部材３には回転軸方向に対して傾斜して取付けた可撓性で板状の１枚羽根部材４を固着し、該１枚羽根部材４の先端部付近に前記回転軸方向との傾斜角度を増す方向に曲げた曲面部５を設け、上記軸部材２の回動位置において保持部１と１枚羽根部材４が接近してしかも同一平面上にあるときに相互の回転を係止する挟時部材６を保持部１に設けている。４−１は１枚羽根部材４が９０°回転した状態を示し、４−２は１８０°回転した状態を示す。５−１は１枚羽根部材４が９０°回転した状態における曲面部５の状態、５−２は１枚羽根部材４が１８０°回転した状態における曲面部５の状態を示す。７は軸部材２と一体に回動し、保持部１側に付勢されたバネであり、先端部には突起８を形成している。９は保持部１に設けられた凹部（あるいは穴）である。両者の係合によって軸部材２は保持部１との回動位置を安定に保つことができる。Ｗは１枚羽根部材４が回転した場合の風の流れを示す。
［作用］
【００１２】
上記構造の実施例における作用を説明する。
使用時には軸部材２を図１に示すごとく保持部１上で時計方向に回動させて１枚羽根部材４が保持部１からはなれた位置となるようにセットし、保持部１を手にもって手首を回すと１枚羽根部材４はその偏芯質量によって軸部材２の回りを回転する。このとき１枚羽根部材４の取付け面が図１の４−１に示すごとく回転軸方向に対して傾斜して取付けられているので扇風機のプロペラと同様の効果で風は回転軸方向に傾いて流れる。更にこの効果を増大する為に曲面部５においては５−１に示すごとくその傾きが大きくなる様に形成されている。このことによって風の流れは軸部材２と並行な方向に近づく。したがってその風を受ける場合には１枚羽根部材４の回転面内ではなく、軸方向に離れた位置で受けることができるので、１枚羽根部材４が顔などに接触する危険性を回避できる。１枚羽根部材４の根元における取付け角度の傾きだけでは１枚羽根部材４の先端部では風の流れの速度に対して１枚羽根部材４の速度が大きくなり相対角度（迎角）が大きくなりすぎてこの部分でいわゆる失速現象が起きるためにこの効果を充分に期待することは出来ない。１枚羽根部材４がＡの方向に回転した時の風の１枚羽根部材４に対する相対的な流れはＷのごとくなる。収納時においては軸部材２を反時計方向に回動させて１枚羽根部材４が保持部１に接近した位置とする。この位置で保持部１と１枚羽根部材４が同一平面上になると、挟時部材６が１枚羽根部材４を挟んでその回転を係止させることができる。
【産業上の利用可能性】
【００１３】
上記の説明で明らかなごとく、本考案のカード型手動扇風機の効果は風が羽根の回転軸方向に動くことで回転面を顔などからずらすことができるために安全性が大幅に向上する上、収納時には平板状のカード型となるために極めてコンパクトとなり、ワイシャツの胸ポケットに収納することだ形態性を高めることができるカード型手動扇風機を提供することであり、その普段の生活上でエネルギーの節約に貢献に寄与する効果は極めて著しい。
【符号の説明】
【００１４】
１    保持部
２    軸部材
３    軸受部材
４    １枚羽根部材
５    曲面部
６    挟時部材
７    バネ
８    突起
９    凹部
【図１】
0003175397.tif 000003
【図２】
0003175397.tif 000004
【図３】
0003175397.tif 000005